(57)【要約】【課題】本発明は誤って短いメディアを挿入した場合であっても、この短いメディアを排出することが可能であるようにすることを課題とする。【解決手段】第１のスイッチ７１が、送り駆動ローラ４４とメモリカード挿入口２２ａとの間の位置に配置してある。第１のスイッチ７１と、メディアが装着されたことを検出する第２のスイッチ７２とは、距離Ｌ１０が、メモリカード１０の長さＬ１より短くて、メモリカード５０の長さＬ２より長く、Ｌ２＜Ｌ１０＜Ｌ１の関係にある。制御回路８０は、第１のスイッチ７１がそれまで検出していたメディアを検出しなくなった場合に、モータ４１を停止させるか或いは逆転させる。【選択図】　　　図６
2004030427.tif 000002
【特許請求の範囲】
【請求項１】
メディアを装着するときに動作してメディア挿入口より挿入されたメディアをメディア装置内に引き込むメディア引き込み機構を備えてなり、メディアがメディア挿入口を通って装着される構成であるメディア装置において、
メディア引き込み機構よりもメディア挿入口側の位置に、メディアを検出する第１の検出手段を設けると共に、
第１の検出手段がそれまで検出していたメディアを検出しなくなった場合に、上記メディア引き込み機構の動作を停止させる手段を有する構成としたことを特徴とするメディア装置。
【請求項２】
メディアを装着するときに動作してメディア挿入口より挿入されたメディアをメディア装置内に引き込むメディア引き込み機構を備えてなり、メディアがメディア挿入口を通って装着される構成であるメディア装置において、
メディア引き込み機構よりもメディア挿入口側の位置に、メディアを検出する第１の検出手段を設けると共に、
第１の検出手段がそれまで検出していたメディアを検出しなくなった場合に、上記メディア引き込み機構をそれまでとは逆方向に動作させる手段を有する構成としたことを特徴とするメディア装置。
【請求項３】
メディアを装着するときに動作してメディア挿入口より挿入されたメディアをメディア装置内に引き込むメディア引き込み機構を備えてなり、メディアがメディア挿入口を通って装着される構成であるメディア装置において、
メディア引き込み機構よりもメディア挿入口側の位置に、メディアを検出する第１の検出手段を設け、且つ、
メディア装置の奥部に、メディアがメディア引き込み機構によって引き込まれて装着されたことを検出する第２の検出手段を設けると共に、
第２の検出手段がメディアを未だ検出していない状態で、第１の検出手段がそれまで検出していたメディアを検出しなくなった場合に、上記メディア引き込み機構の動作を停止させる手段を有する構成としたことを特徴とするメディア装置。
【請求項４】
メディアを装着するときに動作してメディア挿入口より挿入されたメディアをメディア装置内に引き込むメディア引き込み機構を備えてなり、メディアがメディア挿入口を通って装着される構成であるメディア装置において、
メディア引き込み機構よりもメディア挿入口側の位置に、メディアを検出する第１の検出手段を設け、且つ、
メディア装置の奥部に、メディアがメディア引き込み機構によって引き込まれて装着されたことを検出する第２の検出手段を設けると共に、
第２の検出手段がメディアを未だ検出していない状態で、第１の検出手段がそれまで検出していたメディアを検出しなくなった場合に、上記メディア引き込み機構をそれまでとは逆方向に動作させる手段を有する構成としたことを特徴とするメディア装置。
【請求項５】
請求項１乃至請求項４のうちいずれか一項に記載のメディア装置において、上記第１の検出手段は、メディア挿入口を通して挿入されたメディアを検出して、上記メディア引き込み機構を始動させる機能を有するものである構成としたことを特徴とするメディア装置。
【発明の詳細な説明】
【０００１】
【発明の属する技術分野】
本発明はメディア装置に係り、特にいたずらで所定のメディアとは異なる物を挿入してしまった誤操作に対する対策を備えたメディア装置に関する。
【０００２】
【従来の技術】
従来のメディア装置は、メディア挿入口の近くにモータによって回転される一対の送り駆動ローラを備えた構成であり、メディアがメディア挿入口に挿入されると、送り駆動ローラが回転されて、メディアが送り駆動ローラに挟まれてメディア装置の内部に最終位置まで引き込まれて、メディアの全体がメディア装置の内部に収まって装着される構成である。
【０００３】
従来のメディア装置には、所望のメディアと形状が似ている別のものが挿入された場合に対する対策はなかった。
【０００４】
【発明が解決しようとする課題】
特に、メディアの一つであるメモリカードが装着されるメモリカード装置においては、メモリカードのサイズが持ち運びが苦にならない程度に小さく、似たサイズのメモリカードが複数種類製品化されているため、不注意で別の種類のメモリカードを誤って挿入してしまうことが考えられる。また、メモリカードが小さいサイズであり、厚さ及び幅が硬貨の厚さ及び直径と略等しく、いたずらで硬貨を挿入することも考えられる。
【０００５】
図１５に示すように、従来のメモリカード装置１では、別の種類のメモリカードを誤って挿入したり、硬貨を挿入したりした場合には、送り駆動ローラが回転されて別の種類のメモリカード２及び硬貨３は送り駆動ローラ５を通り越してメモリカード装置の内部に引き込まれてしまい、場合によっては、引き込まれた別の種類のメモリカード及び硬貨を排出することが不可能となってしまう虞れもあった。
【０００６】
そこで、本発明は、上記課題を解決したメディア装置を提供することを目的とする。
【０００７】
【課題を解決するための手段】
請求項１の発明は、メディアを装着するときに動作してメディア挿入口より挿入されたメディアをメディア装置内に引き込むメディア引き込み機構を備えてなり、メディアがメディア挿入口を通って装着される構成であるメディア装置において、
メディア引き込み機構よりもメディア挿入口側の位置に、メディアを検出する第１の検出手段を設けると共に、
第１の検出手段がそれまで検出していたメディアを検出しなくなった場合に、上記メディア引き込み機構の動作を停止させる手段を有する構成としたものである。
【０００８】
請求項２の発明は、メディアを装着するときに動作してメディア挿入口より挿入されたメディアをメディア装置内に引き込むメディア引き込み機構を備えてなり、メディアがメディア挿入口を通って装着される構成であるメディア装置において、
メディア引き込み機構よりもメディア挿入口側の位置に、メディアを検出する第１の検出手段を設けると共に、
第１の検出手段がそれまで検出していたメディアを検出しなくなった場合に、上記メディア引き込み機構をそれまでとは逆方向に動作させる手段を有する構成としたものである。
【０００９】
請求項３の発明は、メディアを装着するときに動作してメディア挿入口より挿入されたメディアをメディア装置内に引き込むメディア引き込み機構を備えてなり、メディアがメディア挿入口を通って装着される構成であるメディア装置において、
メディア引き込み機構よりもメディア挿入口側の位置に、メディアを検出する第１の検出手段を設け、且つ、
メディア装置の奥部に、メディアがメディア引き込み機構によって引き込まれて装着されたことを検出する第２の検出手段を設けると共に、
第２の検出手段がメディアを未だ検出していない状態で、第１の検出手段がそれまで検出していたメディアを検出しなくなった場合に、上記メディア引き込み機構の動作を停止させる手段を有する構成としたものである。
【００１０】
請求項４の発明は、メディアを装着するときに動作してメディア挿入口より挿入されたメディアをメディア装置内に引き込むメディア引き込み機構を備えてなり、メディアがメディア挿入口を通って装着される構成であるメディア装置において、
メディア引き込み機構よりもメディア挿入口側の位置に、メディアを検出する第１の検出手段を設け、且つ、
メディア装置の奥部に、メディアがメディア引き込み機構によって引き込まれて装着されたことを検出する第２の検出手段を設けると共に、
第２の検出手段がメディアを未だ検出していない状態で、第１の検出手段がそれまで検出していたメディアを検出しなくなった場合に、上記メディア引き込み機構をそれまでとは逆方向に動作させる手段を有する構成としたものである。
【００１１】
請求項１及び請求項３の発明において、第１の検出手段がメディア引き込み機構よりもメディア挿入口側の位置に配置してあるため、正規のメディアよりも短いメディアが挿入された場合において、第１の検出手段がそれまで検出していた短いメディアを検出しなくなってメディア引き込み機構の動作が停止された状態で、短いメディアは依然としてメディア引き込み機構と係わりあっている関係にある。よって、メディア引き込み機構を逆方向に動作させれば、短いメディアを排出させることが可能となる。
【００１２】
請求項２及び請求項４の発明において、第１の検出手段がメディア引き込み機構よりもメディア挿入口側の位置に配置してあるため、正規のメディアよりも短いメディアが挿入された場合において、第１の検出手段がそれまで検出していた短いメディアを検出しなくなってメディア引き込み機構の動作が停止された状態で、短いメディアは依然としてメディア引き込み機構と係わりあっている関係にある。よって、メディア引き込み機構が逆方向に動作されることによって、短いメディアは排出される。よって、短いメディアが挿入された場合に、この短いメディアは自動的に排出される。
【００１３】
請求項５の発明は、請求項１乃至請求項４のうちいずれか一項に記載のメディア装置において、上記第１の検出手段は、メディア挿入口を通して挿入されたメディアを検出して、上記メディア引き込み機構を始動させる機能を有するものである構成としたものである。
【００１４】
メディア引き込み機構を始動させるためにメディア挿入口を通して挿入されたメディアを検出する既存の機構に加えて第１の検出手段を設ける必要はなくなる。よって、構成を簡単に出来る。
【００１５】
【発明の実施の形態】
先ず、メモリカード装置２０の全体構成並び操作及び動作について、図１乃至図５を参照して説明する。
【００１６】
図１（Ａ）及び図２は、本発明の一実施例になるメモリカード装置２０を、メモリカード１０と対応させて示す。Ｙ１はメモリカードが挿入されて装着される方向であり、Ｙ２はメモリカードが排出される方向である。Ｘ１−Ｘ２はメモリカード装置の幅方向、Ｚ１−Ｚ２はメモリカード装置の高さ方向である。メモリカード装置２０はコンピュータ装置と接続されている。
【００１７】
メモリカード１０は、図１（Ａ）に示すように、カード形状を有し、内部に半導体素子が組み込まれている。１１は上面、１２は下面、１３は先端部、１４は後端面、１５は端子である。端子１５は下面１２のうち先端部１３の部位にＸ１−Ｘ２方向に並んでいる。メモリカード１０はＹ１−Ｙ２方向の長さ寸法がＬ１である。
【００１８】
メモリカード装置２０は、ベース部材２１にフロントベゼル２２とカバー部材２３とが組合わされてなる箱体の内部に、プリント回路基板３０上に実装されたメモリカード用コネクタ３１及びホルダ３３と、メモリカード引き込み機構４０とが組み込んである構成である。
【００１９】
メモリカード引き込み機構４０は、図３（Ａ），（Ｂ）に示すように、モータ４１と、減速ギヤ群４２と、ピニオン４３と、送り駆動ローラ４４と、上側押え部材４５と、ラック部材４６と、フック４７と、スライダ４８等よりなる。
【００２０】
モータ４１の回転は、減速ギヤ群４２を介して減速されてピニオン４３と送り駆動ローラ４４とに伝達され、ピニオン４３と送り駆動ローラ４４とが同時に互いに逆方向に回転される。
【００２１】
送り駆動ローラ４４と滑り易い上側押え部材４５とは、図５（Ａ）に併せて示すように、Ｙ１−Ｙ２方向上はフロントベゼル２２とホルダ３３との間に、送り駆動ローラ４４が下側、上側押え部材４５が上側の位置関係で配置してある。
【００２２】
ラック部材４６は、略長方形のフレーム部４６ａと、このフレーム部４６ａからＸ２方向に延びている腕部４６ｂとよりなり、Ｙ１−Ｙ２方向に移動可能である。腕部４６ｂにフック４７が設けてあり、フレーム部４６ａにスライダ４８が固定してある。スライダ４８はホルダ３３内に入り込んでいる。フレーム部４６ａの一部にラック４６ｃが形成してある。メモリカード装着前の状態では、ラック部材４６はＹ２方向に移動されており、図３（Ｃ）に拡大して示すように、ピニオン４３はラック４６ｃから外れている。
【００２３】
フック４７は、腕部４６ｂの先端に回動可能に設けてある。メモリカード装着前の状態では、フック４７は送り駆動ローラ４４よりもフロントベゼル２２側に位置しており、ばね（図示せず）によってＺ１方向に回動されて斜めとなっており、先端はＺ１方向に退避してメモリカード１０の挿入を妨害しないようになっている。図１及び図５（Ａ）に示すように、フック４７の根元に対向する部位には、カバー部材２３に形成してある押え用切り起こし部２３ａが位置している。
【００２４】
次にメモリカード１０を装着するときの動作を説明する。
【００２５】
操作者がメモリカード１０をフロントベゼル２２のメモリカード挿入口２２ａを通して挿入すると後述する第１のスイッチ７１がＯＮとされ、モータ４１が始動して正回転され、送り駆動ローラ４４が時計方向に回転を開始する。
【００２６】
メモリカード１０の先端部１３が送り駆動ローラ４４の位置まで挿入されると、この後は、図４（Ａ）及び図５（Ａ）に示すように、メモリカード１０が送り駆動ローラ４４と上側押え部材４５との間に挟まれて、回転している送り駆動ローラ４４によってＹ１方向に引き込まれる。メモリカード１０は、先端部１３からホルダ部３３内に入り込み、後端面１４がメモリカード挿入口２２ａを通過して全体がメモリカード装置２０の内部に入り込む。
【００２７】
メモリカード１０がその先端部１３がメモリカード用コネクタ３１の直前の位置に到るまで引き込まれると、斜辺部１５がスライダ４８に当たってこれを押し、図５（Ｂ）に拡大して示すように、ラック４６ｃがピニオン４３にかみ合い、ラック４６ｃが駆動され、ラック部材４６がＹ１方向に移動を開始する。
【００２８】
ラック部材４６がＹ１方向に移動を開始すると、図４（Ｂ）及び図５（Ｂ）に示すように、フック４７が押え用切り起こし部２３ａに係止されてばねに抗してＺ２方向に回動され、水平の状態とされ、メモリカード１０の後端面１４に対向してこれを係止し得る状態となる。その後もフック４７は押え用切り起こし部２３ａに係止され続けて水平に維持される。ラック部材４６がＹ１方向に更に移動すると、フック４７がメモリカード１０の後端面１４を係止して、後端面１４をＹ１方向に押し、図４（Ｃ）及び図５（Ｃ）に示すように、メモリカード１０が後端面１４を押されてＹ１方向に最終の位置まで移動されて、端子１５がメモリカード用コネクタ３１と接続されて、メモリカード１０は装着される。メモリカード１０が装着された位置に到ると、後述する第２のスイッチ７２がＯＮとされ、モータ４１が停止される。なお、メモリカード１０はその後端面１４に近い部分を送り駆動ローラ４４と上側押え部材４５との間に挟まれている。
【００２９】
この状態で、メモリカード１０にアクセスがなされ、情報の読み出し及び書き込みがなされる。
【００３０】
なお、メモリカード１０を排出するときには排出釦２２ｂを押す。この操作によって、モータ４１が始動して逆回転され、ラック部材４６がＹ２方向に移動を開始されると共に送り駆動ローラ４４が反時計方向に回転を開始する。これによって、メモリカード１０は最初はスライダ４８によって斜辺部１５を押されてラック部材４６と共にＹ２方向に移動され、端子１５がメモリカード用コネクタ３１から外され、続いて、送り駆動ローラ４４によってＹ２方向に移動されて排出される。
【００３１】
次に、誤って、図１（Ｂ）に示すメモリカード５０又は図１（Ｃ）に示す硬貨６０をメモリカード挿入口２２ａを通して挿入してしまった場合の対策について説明する。
【００３２】
メモリカード５０の長さはＬ２であって、メモリカード１０の長さＬ１に比べて短い。
【００３３】
図２及び図６に示すように、メモリカード装置２０には第１のスイッチ７１と第２のスイッチ７２とが設けてある。また、第１、第２のスイッチ７１、７２及びモータ４１に関する制御回路８０及び電源８４が設けてある。
【００３４】
第１のスイッチ７１は、常開型であり、カバー部材２３に形成してある切り起こし部２３ｂの下面に固定してある。この第１のスイッチ７１は、Ｙ１−Ｙ２方向上は、送り駆動ローラ４４とメモリカード挿入口２２ａとの間の位置、即ち、送り駆動ローラ４４よりメモリカード挿入口２２ａ側（Ｙ１方向）にＬ１１偏倚した位置に配置してある。また、第１のスイッチ７１は、挿入されたメモリカード１０の上面１１によって押されてＯＮとされる位置に設けてある。第１のスイッチ７１は、その後もメモリカード１０の上面１１によって押され続けてＯＮに維持される。
【００３５】
第２のスイッチ７２は、常開型であり、メモリカード用コネクタ３１の隣りに位置して、プリント回路基板３０上に実装してある。この第２のスイッチ７２は、装着される位置まで到ったメモリカード１０の先端面によって押されてＯＮとされる
第１のスイッチ７１と第２のスイッチ７２とは、Ｙ１−Ｙ２方向上は、距離Ｌ１０離して配置してあり、第１のスイッチ７１は送り駆動ローラ４４よりＹ２側に位置している。距離Ｌ１０は、メモリカード１０の長さＬ１より短くて、メモリカード５０の長さＬ２より長く、Ｌ２＜Ｌ１０＜Ｌ１の関係にある。
【００３６】
制御回路８０は、図７示す構成であり、アンド回路８１と、モノステーブルマルチバイブレータ（ＭＭ）８２と、ＰＮＰトランジスタＱ１とが接続された構成である。第１のスイッチ７１と第２のスイッチ７２とがアンド回路８１の入力８１ａ，８１ｂに接続してある。マルチバイブレータ８２は、／Ａ入力端子がグランド電位とされ、Ｂ入力端子に第１のスイッチ７１が接続してある。／ＲＤ端子には、アンド回路８１の出力８１ｃが接続してある。また、マルチバイブレータ８２には、抵抗Ｒ３とコンデンサＣ１とよりなる時定数回路８３が接続されている。ＰＮＰトランジスタＱ１はモータ４１への電源供給ラインに接続してあり、そのベースにマルチバイブレータ８２の反転出力端子／Ｑが接続してある。時定数回路８３の時定数Ｔ１０は、図８（Ｉ）、（Ａ），（Ｂ）に示すように、メモリカード１０の装着動作に必要な時間Ｔ１より長い時間に定めてある。
【００３７】
図８（Ａ）乃至（Ｋ）の符号９０で示す部分、及び図９（Ａ）、（Ｂ）はメモリカード１０が挿入された場合の状態を示す。
【００３８】
メモリカード１０が挿入されると、図９（Ａ）に示すように第１のスイッチ７１がＯＮとなり、図８（Ａ）乃至（Ｋ）に示すように、マルチバイブレータ８２のＢ入力がＬとなり、／Ｑ出力がＬとなって時定数回路８３の時定数Ｔ１０の時間に亘ってＬに維持されようとし、トランジスタＱ１が導通し、モータ４１が駆動されて正回転される。メモリカード１０は図４及び図５に示すように駆動ローラ４４によって送り込まれる。メモリカード１０が図５（Ｃ）に示すように最終位置まで送り込まれると、図９（Ｂ）に示すように第２のスイッチ７２がＯＮとなり、図８（Ａ）乃至（Ｋ）に示すように、アンド回路８１の出力８１ｃがＬとなり、マルチバイブレータ８２の入力／ＲＤがＬとなり、マルチバイブレータ８２がリセットされて、マルチバイブレータ８２の／Ｑ出力がＨ、Ｑ出力がＬとなり、トランジスタＱ１及びＱ２が非導通となり、モータ４１の駆動が停止される。
【００３９】
図８（Ａ）乃至（Ｋ）の符号９１で示す部分、及び図１０（Ａ）、（Ｂ）は誤ってメモリカード５０が挿入された場合の状態を示す。
【００４０】
メモリカード５０が挿入されると、図１０（Ａ）に示すように第１のスイッチ７１がＯＮとなり、図８（Ａ）乃至（Ｋ）に示すように、マルチバイブレータ８２のＢ入力がＬとなり、／Ｑ出力がＬとなり、トランジスタＱ１が導通し、モータ４１が駆動されて正回転される。モータ４１は時定数回路８３の時定数Ｔ１０の時間に駆動され続けようとする。メモリカード５０は前記のメモリカード１０を挿入した場合と同様に、駆動ローラ４４によって送り込まれる。これまでの動作は、前記のメモリカード１０を挿入した場合と同様である。
【００４１】
メモリカード５０が駆動ローラ４４によって送り込まれると、図１０（Ｂ）に示すように、メモリカード５０は第２のスイッチ７２に到る前にその後端部が第１のスイッチ７１を越えて、第１のスイッチ７１がＯＦＦとされる（図８（Ａ）参照）。これによって、図８（Ｂ）乃至（Ｋ）に示すように、アンド回路８１の出力８１ｃがＬとなり、マルチバイブレータ８２の／ＲＤ入力がＬとなり、マルチバイブレータ８２がリセットされて、マルチバイブレータ８２の／Ｑ出力がＨとなり、トランジスタＱ１が非導通となり、モータ４１の駆動が停止される。これによって、メモリカード５０の送り込みが図１０（Ｂ）に示す状態で停止される。メモリカード５０はその後端の近くが駆動ローラ４４に当たっている状態とされる。
【００４２】
この後に、操作者は排出釦２２ｂ（図１（Ａ）参照）を操作をすることによって、モータ４１が駆動されて逆回転され、駆動ローラ４４が反時計方向に回動され、メモリカード５０はメモリカード挿入口２２ａを通して装置の外部に排出される。
【００４３】
また、誤って図１（Ｃ）に示す硬貨６０を挿入してしまった場合にも、メモリカード装置２０は上記のメモリカード５０が挿入された場合と同様に動作する。
【００４４】
図１１は別の実施例の制御回路８０Ａの構成を示す。制御回路８０Ａは、図７示す制御回路８０の構成に、別のモノステーブルマルチバイブレータ（ＭＭ）１００と、時定数Ｔ１０Ａを有する時定数回路１０１、ＮＰＮトランジスタＱ２、ＰＮＰトランジスタＱ３、ＮＰＮトランジスタＱ４とが追加されている構成である。８１Ａは３入力アンド回路であり、マルチバイブレータ（ＭＭ）１００の反転出力端子／Ｑが８１Ａｄに接続してある。また、マルチバイブレータ（ＭＭ）１００の反転出力端子／ＱがトランジスタＱ３のベースに、非反転出力端子ＱがトランジスタＱ４のベースに、夫々接続してある。時定数回路１０１の時定数Ｔ１０Ａは、メモリカード５０を排出するに要する時間Ｔ２よりも長く設定してある。
【００４５】
正規のメモリカード１０が挿入されたときには、制御回路８０Ａは、図１２（Ａ）乃至（Ｋ）及び図１３（Ａ）乃至（Ｊ）中、符号１１０で示す部分に示すように動作する。この動作は、前記の制御回路８０の場合と略同じである。メモリカード１０が挿入され、第１のスイッチ７１がＯＮとされると、マルチバイブレータ８２の入力ＢがＬとなり、／Ｑ出力がＬ、Ｑ出力がＨとなり、トランジスタＱ１及びＱ２が導通し、モータ４１に電流ｉ１が供給されてモータ４１が駆動されて正回転される。第２のスイッチ７１がＯＮとされると、アンド回路８１Ａの出力８１ＡｃがＬとなり、マルチバイブレータ８２の／ＲＤ入力がＬとなり、マルチバイブレータ８２がリセットされて、マルチバイブレータ８２の／Ｑ出力がＨ、Ｑ出力がＬとなり、トランジスタＱ１及びＱ２が非導通となり、モータ４１の駆動が停止される。
【００４６】
別の短いメモリカード５０が挿入されたときには、制御回路８０Ａは、図１２（Ａ）乃至（Ｋ）及び図１３（Ａ）乃至（Ｊ）中、符号１１１で示す部分に示すように動作する。図１４（Ａ）、（Ｂ）、（Ｃ）は誤ってメモリカード５０が挿入された場合の状態を示す。
【００４７】
メモリカード５０が挿入されると、正規のメモリカード１０が挿入されたときと同様に、図１２（Ａ）に示すように第１のスイッチ７１がＯＮとなり、図１２（Ａ）乃至（Ｋ）及び図１３（Ａ）乃至（Ｊ）に示すように、マルチバイブレータ８２のＢ入力がＬとなり、／Ｑ出力がＬ、Ｑ出力がＨとなり、トランジスタＱ１及びＱ２が導通し、モータ４１に電流ｉ１が供給されてモータ４１が駆動されて正回転される。メモリカード５０は前記のメモリカード１０を挿入した場合と同様に、図１４（Ａ）に示すように、駆動ローラ４４によって送り込まれる。これまでの動作は、前記のメモリカード１０を挿入した場合と略同様である。
【００４８】
メモリカード５０が駆動ローラ４４によって送り込まれて、図１４（Ｂ）に示すように、メモリカード５０は第２のスイッチ７２に到る前にその後端部が第１のスイッチ７１を越えて、第１のスイッチ７１がＯＦＦとされると（図１２（Ａ）参照）、図１２（Ｂ）乃至（Ｋ）に示すように、アンド回路８１Ａの出力８１ｃがＬとなり、マルチバイブレータ８２の／ＲＤ入力がＬとなり、マルチバイブレータ８２がリセットされて、マルチバイブレータ８２の／Ｑ出力がＨ、Ｑ出力がＬとなり、トランジスタＱ１及びＱ２が非導通となり、モータ４１への電流ｉ１の供給が停止される。
【００４９】
また、第１のスイッチ７１がＯＦＦとされると、マルチバイブレータ１００の／Ａ入力がＬとなり、／Ｑ出力がＬ、Ｑ出力がＨとなり、トランジスタＱ３及びＱ４が導通し、モータ４１に今までとは逆向きの電流ｉ２が供給されてモータ４１が逆に駆動されて逆回転する。マルチバイブレータ１００の／Ｑ出力Ｌ、Ｑ出力Ｈは時定数回路１０１の時定数Ｔ１０Ａの時間に亘って維持され、モータ４１は時定数Ｔ１０Ａの時間に亘って逆に駆動され、その後に停止する。
【００５０】
これにより、駆動ローラ４４が反時計方向に回動され、メモリカード５０は図１４（Ｃ）に示すようにメモリカード挿入口２２ａを通してメモリカード装置の外部に排出される。
【００５１】
なお、メモリカード５０がＹ２方向に移動されることによって第１のスイッチ７１がＯＮとされるけれども、マルチバイブレータ１００の／Ｑ出力Ｌがアンド回路８１Ａの入力８１Ａｄに加えられており、アンド回路８１Ａの出力８１ＡｃはＬであり、マルチバイブレータ８２はリセット状態とされつづけ、／Ｑ出力はＨ、Ｑ出力はＬに維持され、トランジスタＱ１、Ｑ２は共に非導通に維持され、モータ４１へ電流ｉ１が供給されることはない。
【００５２】
また、誤って図１（Ｃ）に示す硬貨６０を挿入した場合にも、メモリカード装置２０は上記のメモリカード５０が挿入された場合と同様に動作する。
【００５３】
なお、メモリカード１０よりも長いメモリカードを挿入した場合には、メモリカード装置のメモリカード引き込み機構４０は正規のメモリカード１０が挿入された場合と略同じく動作して停止する。長いメモリカードの後端部はメモリカード挿入口２２ａより突き出ており、操作者が排出操作をすることによって或いは突き出ている部分を掴んで引くことによって長いメモリカードは排出される。
【００５４】
なお、駆動ローラ４４に代えて、ベルトを用いた構成としてもよい。また、第１のスイッチ７１及び第２のスイッチ７２に代えて、光学的な検出装置を設けてもよい。
【００５５】
【発明の効果】
上述の如く、本発明によれば、第１の検出手段がメディア引き込み機構よりもメディア挿入口側の位置に配置してあるため、正規のメディアよりも短いメディアが挿入された場合において、第１の検出手段がそれまで検出していた短いメディアを検出しなくなってメディア引き込み機構の動作が停止された状態で、短いメディアは依然としてメディア引き込み機構と係わりあっている関係にあり、よって、メディア引き込み機構を逆方向に動作させることで誤って挿入した短いメディアを排出させることが出来るという特長を有する。
【図面の簡単な説明】
【図１】（Ａ）は本発明の一実施例になるメモリカード装置をメモリカードと併せて示す斜視図、（Ｂ）は短いメモリカードを示す図、（Ｃ）は硬貨を示す図である。
【図２】図１のメモリカード装置の内部の構造を示す斜視図である。
【図３】図１のメモリカード装置の内部の構造を示す図である。
【図４】メモリカードを装着するときの動作を示す図である。
【図５】図４（Ａ），（Ｂ），（Ｃ）に対応する図である。
【図６】図１のメモリカード装置の誤操作対策の構成を概略的に示す図である。
【図７】図６中の制御回路の一つの例の回路図である。
【図８】図７の回路の動作を説明するための図である。
【図９】正規のメモリカードが挿入された場合の動作を示す図である。
【図１０】短いメモリカードが挿入された場合の動作を示す図である。
【図１１】図６中の制御回路の別の例の回路図である。
【図１２】図１１の回路の動作を説明するための図である。
【図１３】図１１の回路の動作を説明するための図である。
【図１４】短いメモリカードが挿入された場合の動作を示す図である。
【図１５】従来のメモリカード装置において、短いメモリカードが挿入された場合の動作を示す図である。
【符号の説明】
１０　メモリカード
２０　メモリカード装置
２２　フロントベゼル
２２ａ　メモリカード挿入口
２２ｂ　排出釦
４０　メモリカード引き込み機構
４１　モータ
４４　送り駆動ローラ
５０　短いメモリカード
６０　硬貨
７１　第１のスイッチ
７２　第２のスイッチ
８０、８０Ａ　制御回路
８１，８１Ａ　アンド回路
８２、１００　モノステーブルマルチバイブレータ
８３，１０１　時定数回路
【図１】
2004030427.tif 000003
【図２】
2004030427.tif 000004
【図３】
2004030427.tif 000005
【図４】
2004030427.tif 000006
【図５】
2004030427.tif 000007
【図６】
2004030427.tif 000008
【図７】
2004030427.tif 000009
【図８】
2004030427.tif 000010
【図９】
2004030427.tif 000011
【図１０】
2004030427.tif 000012
【図１１】
2004030427.tif 000013
【図１２】
2004030427.tif 000014
【図１３】
2004030427.tif 000015
【図１４】
2004030427.tif 000016
【図１５】
2004030427.tif 000017